(57)【要約】【課題】  ソケット側端子とソケットホルダ側端子の接触圧力の低下を防止し、安定した電気接続状態を得る。【解決手段】  内壁に電気接点を有する筒体に形成したソケットホルダと、ソケットホルダに嵌合し電気接点に押圧接触し得る一対の端子９を周囲に有するソケット７と、ソケットの端部に電気的に接続される直管蛍光ランプとを備え、ソケットホルダとソケット７の嵌合部１１のそれぞれに、電気接点が一対の端子９に押圧接触したときの押圧力を受ける略平面当接部１１ａを、ソケットホルダ６の軸に直交する面において一対のばね端子９間の中心からソケットホルダ６の軸を通る中心線Ｔの両側に位置するように設けた。嵌合時は面同士の接触となり、ソケット７のソケットホルダ内での回転方向の動きはこの面接触により大幅に規制できる。これにより、ソケットホルダ側の電気接点とソケット側の端子９との電気接続状態は非常に安定する。【選択図】  図１
2006066345.tif 000002
【特許請求の範囲】
【請求項１】
内壁に電気接点を有する筒体に形成したソケットホルダと、前記ソケットホルダに嵌合し前記電気接点に押圧接触し得る一対の端子を周囲に有するソケットと、前記ソケットの端部に電気的に接続される直管蛍光ランプとを備えた照明器具において、前記ソケットホルダと前記ソケットの嵌合部のそれぞれに、前記電気接点が一対の端子に押圧接触したときの押圧力を受ける略平面当接部を、前記ソケットホルダの軸に直交する面において前記一対の端子間の中心から前記ソケットホルダの軸を通る中心線の両側に位置するように設けたことを特徴とする照明器具。
【請求項２】
前記ソケットのソケットホルダに嵌合されるソケット本体は、前記ソケットホルダよりも熱収縮の大きい材料で形成された請求項１記載の照明器具。
【請求項３】
前記略平面当接部は、ソケットホルダの軸に直交する面においてソケットホルダの接点押圧方向で前記ソケットホルダの軸を通る中心線に対して線対称に傾斜するように形成した請求項１または２記載の照明器具。
【請求項４】
前記略平面当接部は、ソケット中心から、接点側とは反対側に向かって拡がる方向に傾斜した請求項３記載の照明器具。
【請求項５】
前記ソケットの嵌合部は前記電気接点の周囲のソケットホルダ側の部位を挟み込むように設け、前記略平面当接部はソケット中心と前記電気接点の接触部を結んだ直線の接触部より外側の略延長線上に設けた請求項１または２記載の照明器具。
【請求項６】
前記ソケットはランプ側へ押圧力が常時かけられる構造であり、前記略平面当接部は、直管蛍光ランプの軸方向のランプ側に向かって、前記電気接点の接触部側へ上り方向のテーパを設けた請求項１記載の照明器具。
【発明の詳細な説明】
【技術分野】
【０００１】
この発明は、防爆用の直管蛍光灯照明装置などの照明器具に関するものである。
【背景技術】
【０００２】
従来の防爆用の直管蛍光灯照明装置は、特許文献１に示されるように電気接点を有する筒体に形成したソケットホルダと、ソケットホルダに嵌合し直管蛍光ランプが電気接続出来て前記電気接点に押圧接触し得る端子を有するソケットとを具備する構成である。
【０００３】
すなわち図１８は従来例の突き合わせ側ソケット周辺の断面図、図１９は従来例の差込み側ソケット周辺の断面図である。図１８および図１９において、５０は突き合わせ式ソケット、５１は差込み式ソケット、５２はばね端子、５３はソケットホルダ、５４ソケットホルダ端子、５５はキャップ、５６は直管蛍光ランプである。突き合わせ式ソケット５０は直管蛍光ランプ５６の一端のランプピンを当接して接続し、差込み式ソケット５１は直管蛍光ランプ５６の他端のランプピンを挟持して接続するものである。また、突き合わせ式ソケット５０および差込み式ソケット５１をソケットホルダ５３に嵌合して電気的に接続する構成は同様であるため、一方のソケット５１について説明する。すなわち、キャップ５５を開けてソケット５１をソケットホルダ５３に嵌合することにより、ばね端子５２とソケットホルダ端子５４が接触し、電気的接続を実現していた。この際、図２０（ａ）（ｂ）に示すように、ばね端子５２がソケットホルダ端子５４に接続されると寸法ａたわむ。
【特許文献１】特開平１１−５３９３０号公報
【発明の開示】
【発明が解決しようとする課題】
【０００４】
上記従来の照明器具において、ソケットの外殻を構成するソケット本体の材質は、メラミンフェノール等の熱硬化性樹脂が用いられるがこの熱硬化性樹脂の特徴として、高温雰囲気中では成型後に熱収縮が発生する。すなわち、図２１（ａ）（ｂ）は従来例におけるソケット組込み状態の切断面が異なる断面図、図２２（ａ）（ｂ）はそのソケットが熱収縮した状態の切断面が異なる断面図である。図２１に示すように、初期状態ではソケット本体５１ａは底部と両側部において形成された突起部５７がソケットホルダ５３の内周面に当接する。このとき、ばね端子５２はソケットホルダ端子５４に押圧されて突出寸法はｃである。図２２に示すように、ソケット本体５１ａが熱収縮すると片寄せ状態となり、底部の突起部５７のみソケットホルダ５３の内周面に当接する。このとき、ばね端子５２の突出寸法はｄになり、ｄ−ｃ分のばね端子５２のたわみ量が少なくなり、接触圧力は低下する。図２３は初期状態から熱収縮状態の変化を示す状態図である。
【０００５】
上記のようにソケット側端子のソケットホルダ側端子への接続は、ねじ接続や速結接続ではなく、押圧接触であり、ソケット本体が熱収縮した分その接触圧力は低下してしまい、不点や発熱の原因になり得る。また、ソケットホルダとソケット本体とが、ソケット底部の一点で摺接していたので、回転方向の動きに対しては不安定になりがちであり、電気接続状態は安定しなかった。
【０００６】
したがって、この発明の目的は、ソケット側端子とソケットホルダ側端子の間で、安定した電気接続状態が得られる照明器具を提供することである。
【課題を解決するための手段】
【０００７】
上記課題を解決するためにこの発明の請求項１記載の照明器具は、内壁に電気接点を有する筒体に形成したソケットホルダと、前記ソケットホルダに嵌合し前記電気接点に押圧接触し得る一対の端子を周囲に有するソケットと、前記ソケットの端部に電気的に接続される直管蛍光ランプとを備えた照明器具において、前記ソケットホルダと前記ソケットの嵌合部のそれぞれに、前記電気接点が一対の端子に押圧接触したときの押圧力を受ける略平面当接部を、前記ソケットホルダの軸に直交する面において前記一対の端子間の中心から前記ソケットホルダの軸を通る中心線の両側に位置するように設けた。
【０００８】
請求項２記載の照明器具は、請求項１記載の照明器具において、前記ソケットのソケットホルダに嵌合されるソケット本体は、前記ソケットホルダよりも熱収縮の大きい材料で形成された。
【０００９】
請求項３記載の照明器具は、請求項１または２記載の照明器具において、ソケットホルダの軸に直交する面においてソケットホルダの接点押圧方向で前記ソケットホルダの軸を通る中心線に対して線対称に傾斜するように形成した。
【００１０】
請求項４記載の照明器具は、請求項３記載の照明器具において、前記略平面当接部は、ソケット中心から、接点側とは反対側に向かって拡がる方向に傾斜した。
【００１１】
請求項５記載の照明器具は、請求項１または２記載の照明器具において、前記ソケットの嵌合部は前記電気接点の周囲のソケットホルダ側の部位を挟み込むように設け、前記略平面当接部はソケット中心と前記電気接点の接触部を結んだ直線の接触部より外側の略延長線上に設けた。
【００１２】
請求項６記載の照明器具は、請求項１記載の照明器具において、前記ソケットはランプ側へ押圧力が常時かけられる構造であり、前記略平面当接部は、直管蛍光ランプの軸方向のランプ側に向かって、前記電気接点の接触部側へ上り方向のテーパを設けた。
【発明の効果】
【００１３】
この発明の請求項１記載の照明器具によれば、ソケットホルダとソケットの嵌合部のそれぞれに、電気接点が一対の端子に押圧接触したときの押圧力を受ける略平面当接部を設けたので、嵌合時は面同士の接触となり、ソケットのソケットホルダ内での回転方向の動きはこの面接触により大幅に規制できる。これにより、ソケットホルダ側の電気接点とソケット側の端子との電気接続状態は非常に安定する。嵌合面以外の部分の仕上げは粗くてもよいため、とりわけソケットホルダがダイカスト製の場合は効果が大きい。
【００１４】
また、略平面当接部の位置が、一対の端子間の中心からソケットホルダの軸を通る中心線上の範囲（底でない部分）にあることにより、一対の端子から略平面当接部間の距離が、一対の端子からソケット底部間の距離より小さくなるため、ソケット本体が熱収縮した場合の上記端子間の接触圧力の変化はソケット底部で当接させた場合に比べて小さくなる。さらに、従来のソケット本体の外形状はソケット底部をソケットホルダに当接させるためにソケットホルダの内周面の形状に合わせて略円形にしていたが、その必要はなくなるので、ソケット底部を大幅にコンパクトに形成できて省材化が図れ、美観も向上する。
【００１５】
また、略平面当接部は、ソケットホルダの軸に直交する面において一対の端子間の中心からソケットホルダの軸を通る中心線の両側に位置することにより、前記両側の押圧力が大きく違ってソケットが回転する方向に力が加わってもその回転力は容易に受け止められる。このため、従来のソケット底部での一点当接に比べると電気接続状態は安定する。
【００１６】
請求項２では、請求項１記載の照明器具において、ソケットのソケットホルダに嵌合されるソケット本体は、ソケットホルダよりも熱収縮の大きい材料で形成されているので特に有効である。
【００１７】
請求項３では、略平面当接部は、ソケットホルダの軸に直交する面においてソケットホルダの接点押圧方向でソケットホルダの軸を通る中心線に対して線対称に傾斜するように形成したので、ソケットの位置がずれたとしてもその傾斜面に沿って滑って動くことにより、ソケットとソケットホルダの正しい位置合わせが容易に行える。
【００１８】
請求項４では、略平面当接部は、ソケット中心から、接点側とは反対側に向かって拡がる方向に傾斜したので、ソケット本体が熱収縮した場合、略平面当接部においてソケット側の傾斜面はソケットホルダ側の傾斜面を両脇から挟み込む方向に熱収縮することにより、端子側へせり上がる動きになる。この場合、そうでない構成に比べて接触圧力は高くなるので信頼性は向上する。
【００１９】
請求項５では、ソケットの嵌合部は電気接点の周囲のソケットホルダ側の部位を挟み込むように設け、略平面当接部はソケット中心と電気接点の接触部を結んだ直線の接触部より外側の略延長線上に設けたので、略平面当接部は端子の上側に位置することにより、ソケット本体が熱収縮した場合、端子は電気接点側に引き寄せられる。このため、そうでない場合に比べて接触圧力は高くなるので信頼性は向上する。
【００２０】
請求項６では、ソケットはランプ側へ押圧力が常時かけられる構造であり、略平面当接部は、直管蛍光ランプの軸方向のランプ側に向かって、電気接点の接触部側へ上り方向のテーパを設けたので、ソケット本体が熱収縮した場合、ソケットはランプ側へ押し出されるとともに、ソケット側の端子の接触圧力よりもランプ側への押圧力が高いことにより、ソケットは軸方向のテーパに沿って動く。この際、テーパは上り方向についているので、ソケットは端子側へせり上がる動きになる。このため、そうでない構成に比べて接触圧力は高くなるので信頼性は向上する。
【発明を実施するための最良の形態】
【００２１】
この発明の第１の実施の形態を図１〜図９に基づいて説明する。図１（ａ）は本発明の第１の実施形態の照明器具における差込み式ソケットの正面図、（ｂ）は左側面図、（ｃ）は右側面断面図、（ｄ）は平面図、（ｅ）は一部破断背面図、図２はその差込み式ソケットの斜視図、図３（ａ）は本発明の実施形態の防爆型照明器具の正面図、（ｂ）は側面図である。
【００２２】
図３に示すように、器具本体１に、直管蛍光ランプを内部に保持したシリンダ２、シリンダ２を保護するガード３、反射板４、端子板５およびシリンダ２の両端に配置されたソケットホルダ６等が装着されている。ソケットホルダ６は、内壁にソケットホルダ端子（電気接点）を有する筒体に形成されている。このソケットホルダ６にランプを電気的に接続するソケットが摺動してソケットホルダ６内に収納されている。また、ソケットの端部に直管蛍光ランプが電気的に接続され、ソケットホルダ６の開閉可能な一端からランプ交換を行うことができる。また、この場合、シリンダ２のランプ挿入側のソケットホルダ６に差込み式ソケットが配置され、ランプ挿入側と反対側のソケットホルダ６に突き合わせ式ソケットが配置される。
【００２３】
図１および図２に示すように、差込み式ソケット７は、ソケットホルダ６に嵌合し、ソケットホルダ６よりも熱収縮の大きいメラミンフェノール等の熱硬化性樹脂からなるソケット本体８と、ソケットホルダ端子に押圧接触し得る一対のばね端子９とを備えている。ソケット本体８のランプ当接面にランプピン挿入穴１０を設けてあり、両側面に嵌合部１１が突設してある。嵌合部１１は、ランプ当接面に向かって上り方向のテーパを形成した略平面当接部１１ａと、ランプ当接面側に略平面当接部１１ａよりも傾斜してソケット挿入時の案内となる案内部１１ｂとを有する。なお、略平面当接部１１ａにテーパはなくてもよい。また、ソケット本体８の内部にはばね端子９の固定部１２を有し、ばね端子９を外部に露出させるための開口部１３が上部に設けてある。ばね端子９は開口部１３に配置された状態で、その両側のソケット本体８の頂部を結んで形成される空間の範囲内にある。また、ソケット本体８の背面には板カバー１５がねじ止めされ、これにつまみ部１４が突設してある。
【００２４】
ばね端子９は、導電性を有するばね材からなり、ソケットホルダ端子に当接する長形状の凸部１７を持つ。この場合、弾性変形する上方の部分と下方の部分とからなり、取付部１８とランプピンを挟持する接触板１９とともに一体に形成されている。取付部１８はその穴に挿通されるねじ２０によりソケット本体８の固定部１２に固定される。この際、ばね端子９の先端はソケット本体８に係止される。
【００２５】
図４（ａ）は本発明の第１の実施形態の照明器具における突き合わせ式ソケットの正面図、（ｂ）は左側面図、（ｃ）は右側面断面図、（ｄ）は平面図、（ｅ）は背面図、図５はその突き合わせ式ソケットの斜視図である。なお、主に差込み式ソケットと異なる点について説明し、同一部分には同一符号を付して説明を省略する。
【００２６】
図４および図５に示すように、突き合わせ式ソケット２２は、ソケットホルダ６に嵌合し、ソケットホルダ６よりも熱収縮の大きいメラミンフェノール等の熱硬化性樹脂からなるソケット本体２３と一対のばね端子２４とを備えている。
【００２７】
ソケット本体２３は、ランプピン挿入穴１０の周囲にランプピンのガイド面１０ａを設けており、板カバーおよびつまみ部はない。ばね端子２４は、凸部１７を持つ上方の部分と下方の部分とからなり、取付部１８とランプピンが当接する接続部２５とともに一体に形成されている。
【００２８】
図６（ａ）（ｂ）は本発明の第１の実施形態の照明器具におけるソケットホルダの切断面が異なる断面図である。
【００２９】
図６に示すように、ソケットホルダ６は、ソケットホルダ本体２７と、端子ユニット２８とを備えている。ソケットホルダ本体２７は、ソケット本体８または２３が挿入される筒状であり、端子ユニット２８を取り付けるための開口部２９が形成してある。端子ユニット２８は、メラミンフェノール等の熱硬化性樹脂からなり、絶縁物からなる凹部３４の底面にソケットホルダ端子３５がインサート成形されている。また、ソケットホルダ本体２７の内周面に嵌合部１１が摺動するリブ３０および仕切部３１が突設してある。リブ３０は、ランプ側Ｃに向けて上り方向のテーパを形成した略平面当接部３０ａと、ランプと反対側に略平面当接部３０ａよりも傾斜してソケット挿入時の案内となる案内部３０ｂとを有する。なお、略平面当接部３０ａにテーパはなくてもよい。略平面当接部１１ａ，３０ａは、ソケットホルダ６の軸に直交する面において一対のばね端子９間の中心からソケットホルダ６の軸を通る中心線Ｔの両側２箇所に位置し、ソケットホルダ端子３５がばね端子９に押圧接触したときの押圧力を受ける。また、一端にエンドキャップ（図示せず）を螺合するねじ溝３２、他端にシリンダ２の取付部３３が設けてある。
【００３０】
次にソケットの熱収縮およびその組込み状態について説明する。図７（ａ）（ｂ）は本発明の第１の実施形態におけるソケットの熱収縮状態の説明図、図８（ａ）（ｂ）は本発明の第１の実施形態におけるソケット組込み状態の切断面が異なる断面図、図９（ａ）（ｂ）はその熱収縮状態の切断面が異なる断面図である。なお、同図は差込み式ソケットを示しているが、突き合わせ式ソケットでも同様である。
【００３１】
略平面当接部１１ａの位置が、一対のばね端子９間の中心からソケットホルダ６の軸を通る中心線Ｔ上の範囲（底でない部分）にあることにより、ばね端子９から略平面当接部１１ａ間の距離が、ばね端子９からソケット底部間の距離より小さくなる。このため、ソケット本体８が熱収縮した場合、本実施形態のように略平面当接部１１ａで当接させた場合では図７（ｂ）に示すように収縮原点Ａが位置し、熱収縮代ｆは小さくなる。一方、ソケット底部で当接させた場合では図７（ａ）に示すように収縮原点Ａが位置し、熱収縮代ｅは大きくなる。その結果、本実施形態では上記端子間の接触圧力の変化はソケット底部で当接させた場合に比べて小さくなる。
【００３２】
また、組込み時には、図８に示すように、ソケットホルダ６の一端から、ソケット７をその嵌合部１１がリブ３０により位置決めされた状態で挿入する。そして、ばね端子９が端子ユニット２８により押圧されて弾性変形し、凸部１７が凹部３４に挿入されてソケットホルダ端子３５とばね端子９が摺動接触し、ソケット７とソケットホルダ６が電気的に接続される。この際、ソケット７の底部とソケットホルダ６間に隙間３６がある。また、図９に示すように、ソケット本体８が熱収縮すると、収縮原点Ａを中心に収縮するが、図７（ｂ）に示したように熱収縮代ｆは小さいので、押圧されたばね端子９がわずかに弾性復帰するだけである。
【００３３】
また、従来のソケット本体の外形状はソケット底部をソケットホルダに当接させるためにソケットホルダの内周面の形状に合わせて略円形にしていたが、その必要はなくなるので、例えば図１０に示すように、ソケット底部を大幅にコンパクトに形成できて省材化が図れ、美観も向上する。３７はソケット本体の不要箇所である。また、図１１に示すように、リブ３０を上下両側より挟み込むように、嵌合部１１に下側部１１ｃを形成してもよい。
【００３４】
以上のように本実施形態によれば、ソケット嵌合時は略平面当接部１１ａ，３０ａの面同士の接触となり、ソケット７，２２のソケットホルダ６内での回転方向の動きはこの面接触により大幅に規制できる。これにより、ソケットホルダ端子３５とばね端子９との電気接続状態は非常に安定する。嵌合面以外の部分の仕上げは粗くてもよいため、とりわけソケットホルダ６がダイカスト製の場合は効果が大きい。
【００３５】
また、略平面当接部１１ａ，３０ａを、ソケットホルダ６の軸に直交する面において一対のばね端子９間の中心からソケットホルダ６の軸を通る中心線Ｔの両側２箇所に位置することにより、前記両側２箇所の押圧力が大きく違ってソケット７，２２が回転する方向に力が加わってもその回転力は容易に受け止められる。このため、従来のソケット底部での一点当接に比べると電気接続状態は安定する。
【００３６】
図１２（ａ）（ｂ）は本発明の第２の実施形態の照明器具におけるソケットの状態を示す説明図である。なお、同図は差込み式ソケットを示しているが突き合わせ式ソケットでもよい。
【００３７】
図１２に示すように、本実施形態では、第１の実施形態においてソケット７の嵌合部１１およびソケットホルダ６のリブ３０の形状が異なる。すなわち、嵌合部１１の略平面当接部１１ａとリブ３０の略平面当接部３０ａは、同一平面ではなく、ソケットホルダ６の軸に直交する面においてソケットホルダ６の接点押圧方向でソケットホルダ６の軸を通る中心線Ｔに対して線対称に傾斜するように形成している。この場合、略平面当接部１１ａ，３０ａは内側が下向きの逆ハの字形である。図１２（ａ）のようにソケットホルダ６内でソケット本体８が傾いた状態で挿入されたとしても、図１２（ｂ）のようにソケットホルダ６の略平面当接部３０ａの逆ハの字形に沿ってソケット７の略平面当接部１１ａが案内され正規の状態となる。このように、ソケット本体８の位置がずれたとしてもその傾斜面に沿って滑って動くことにより、ソケット本体８とソケットホルダ６の正しい位置合わせが容易に行える。
【００３８】
図１３（ａ）（ｂ）は本発明の第３の実施形態の照明器具におけるソケットの状態を示す説明図である。なお、同図は差込み式ソケットを示しているが突き合わせ式ソケットでもよい。
【００３９】
図１３に示すように、本実施形態では、第１の実施形態においてソケット７の嵌合部１１およびソケットホルダ６のリブ３０の位置および形状が異なる。すなわち、嵌合部１１はソケット本体８の底部の両側に設けてあり、リブ３０はソケットホルダ６の底部に突設してある。また、第２の実施形態と同様に嵌合部１１の略平面当接部１１ａとリブ３０の略平面当接部３０ａは、同一平面ではなく、ソケットホルダ６の軸に直交する面においてソケットホルダ６の接点押圧方向でソケットホルダ６の軸を通る中心線Ｔに対して線対称に傾斜するように形成している。そして、略平面当接部１１ａ，３０ａは、ソケット中心から、接点側とは反対側に向かって拡がる方向に傾斜している。この場合、リブ３０の両側面をハの字形に形成して略平面当接部３０ａとしている。図１３（ａ）のように、ソケット本体８がソケットホルダ６内に挿入され、略平面当接部１１ａ，３０ａが当接した状態で、嵌合部１１とソケットホルダ６の底部との間に隙間ｇが形成されている。図１３（ｂ）のようにソケット本体８が熱収縮すると隙間ｈに変化し、ｈ−ｇの分だけ略平面当接部３０ａの傾斜面に沿ってソケット本体８が上へ押し上げられる。このように、ソケット本体８が熱収縮した場合、略平面当接部１１ａ，３０ａにおいてソケット７側の傾斜面はソケットホルダ６側の傾斜面を両脇から挟み込む方向に熱収縮することにより、端子９側へせり上がる動きになる。なお、比較のためリブ３０がない場合の初期状態と熱収縮状態を図１４（ａ）（ｂ）に示す。この場合、熱収縮によりソケット本体８とソケットホルダの当接面Ｂの位置が変わらないので、熱収縮した分だけ接点間の間隔が広がる。
【００４０】
図１５（ａ）（ｂ）は本発明の第４の実施形態の照明器具におけるソケットの状態を示す説明図である。なお、同図は差込み式ソケットを示しているが突き合わせ式ソケットでもよい。
【００４１】
図１５に示すように、本実施形態では、第１の実施形態においてソケット７の嵌合部１１およびソケットホルダ６のリブ３０の位置および形状が異なる。すなわち、嵌合部１１はソケット本体８の上部の両側にソケットホルダ端子３５の周囲の端子ユニット２８を挟み込むように設けてあり、これに嵌合するリブ３０は端子ユニット２８に突設してある。また、嵌合部１１の略平面当接部１１ａとリブ３０の略平面当接部３０ａは、ソケット中心とソケットホルダ端子３５の接触部を結んだ直線の接触部より外側の略延長線上に設けている。図１５（ａ）のようにソケット本体８がソケットホルダ６内に挿入された状態から、図１５（ｂ）のようにソケット本体８が熱収縮すると、略平面当接部１１ａ，３０ａに向かってばね端子９がせり上がってくる。このように、略平面当接部１１ａ，３０ａはばね端子の上側に位置することにより、ソケット本体８が熱収縮した場合、ばね端子９はソケットホルダ端子３５側に引き寄せられる。
【００４２】
図１６（ａ）（ｂ）は本発明の第５の実施形態の照明器具におけるソケットを挿入する際の状態を示す説明図、図１７はそのソケット挿入状態の説明図である。なお、同図は差込み式ソケットを示しているが突き合わせ式ソケットでもよい。
【００４３】
図１６に示すように、本実施形態では、第１の実施形態においてソケット７の嵌合部１１およびソケットホルダ６のリブ３０の形状が異なる。すなわち、嵌合部１１の略平面当接部１１ａとリブ３０の略平面当接部３０ａは、直管蛍光ランプの軸方向のランプ側Ｃに向かって、ソケットホルダ端子３５の接触部側へ上り方向のテーパを設けている。また、図１７に示すように、ソケット７はランプ側Ｃへ押圧力が常時かけられる構造である。この場合、ソケットホルダ６に螺合するホルダキャップの内側にソケット本体８を押圧可能なばね３８が取付けられている。また、嵌合部１１とリブ３０は、第１の実施形態と同様に略平面当接部１１ａ，３０ａよりも傾斜してソケット挿入時の案内となる案内部１１ｂ，３０ｂを有する。図１６（ａ）（ｂ）のようにソケット本体８をソケットホルダ６に挿入する際には、それぞれの案内部１１ｂ，３０ｂに乗り上げ嵌合部１１とリブ３０を嵌合させる。図１７のようにソケット本体８はランプ側Ｃへ進むにつれて上方へ押し上げられる。また、ばね３８の荷重によってソケット本体８はランプ側Ｃへ押し付けられている。このため、ソケット本体８が熱収縮した場合、ソケット７は背部からばね３８によってランプ側Ｃへ押し出される。ソケット側のばね端子９の接触圧力よりもばね３８の方がばね圧力が高いことにより、ソケット本体８は軸方向のテーパに沿って動く。この際、テーパは上り方向についているので、ソケット本体８はばね端子９側へせり上がる動きになる。以上のように第３〜５の実施形態によれば、接点の接触圧力が高くなるので信頼性が向上する。
【図面の簡単な説明】
【００４４】
【図１】（ａ）は本発明の実施形態の照明器具における差込み式ソケットの正面図、（ｂ）は左側面図、（ｃ）は右側面断面図、（ｄ）は平面図、（ｅ）は一部破断背面図である。
【図２】本発明の実施形態における差込み式ソケットの斜視図である。
【図３】（ａ）は本発明の実施形態の防爆型照明器具の正面図、（ｂ）は側面図である。
【図４】（ａ）は本発明の実施形態の照明器具における突き合わせ式ソケットの正面図、（ｂ）は左側面図、（ｃ）は右側面断面図、（ｄ）は平面図、（ｅ）は背面図である。
【図５】本発明の実施形態における突き合わせ式ソケットの斜視図である。
【図６】（ａ）（ｂ）は本発明の実施形態の照明器具におけるソケットホルダの切断面が異なる断面図である。
【図７】（ａ）（ｂ）は本発明の第１の実施形態におけるソケットの熱収縮状態の説明図である。
【図８】（ａ）（ｂ）は本発明の第１の実施形態におけるソケット組込み状態の切断面が異なる断面図である。
【図９】（ａ）（ｂ）はその熱収縮状態の切断面が異なる断面図である。
【図１０】（ａ）は本発明の第１の実施形態の照明器具の変形例を示す断面図、（ｂ）はその説明図である。
【図１１】本発明の実施形態の照明器具の別の変形例を示す断面図である。
【図１２】（ａ）（ｂ）は本発明の第２の実施形態の照明器具におけるソケットの状態を示す説明図である。
【図１３】（ａ）（ｂ）は本発明の第３の実施形態の照明器具におけるソケットの状態を示す説明図である。
【図１４】（ａ）（ｂ）はリブがない場合の初期状態と熱収縮状態を示す説明図である。
【図１５】（ａ）（ｂ）は本発明の第４の実施形態の照明器具におけるソケットの状態を示す説明図である。
【図１６】（ａ）（ｂ）は本発明の第５の実施形態の照明器具におけるソケットを挿入する際の状態を示す説明図である。
【図１７】第５の実施形態のソケット挿入状態の説明図である。
【図１８】従来例の突き合わせ側ソケット周辺の断面図である。
【図１９】従来例の差込み側ソケット周辺の断面図である。
【図２０】従来例における接続状態の説明図である。
【図２１】（ａ）（ｂ）は従来例におけるソケット組込み状態の切断面が異なる断面図である。
【図２２】（ａ）（ｂ）は従来例におけるソケットが熱収縮した状態の切断面が異なる断面図である。
【図２３】従来例における初期状態から熱収縮状態の変化を示す状態図である。
【符号の説明】
【００４５】
６  ソケットホルダ
７  差込み式ソケット
８  ソケット本体
９  ばね端子
１１  嵌合部
１１ａ  略平面当接部
２２  突き合わせ式ソケット
２３  ソケット本体
２４  ばね端子
３０  リブ
３０ａ  略平面当接部
３５  ソケットホルダ端子
【図１】
2006066345.tif 000003
【図２】
2006066345.tif 000004
【図３】
2006066345.tif 000005
【図４】
2006066345.tif 000006
【図５】
2006066345.tif 000007
【図６】
2006066345.tif 000008
【図７】
2006066345.tif 000009
【図８】
2006066345.tif 000010
【図９】
2006066345.tif 000011
【図１０】
2006066345.tif 000012
【図１１】
2006066345.tif 000013
【図１２】
2006066345.tif 000014
【図１３】
2006066345.tif 000015
【図１４】
2006066345.tif 000016
【図１５】
2006066345.tif 000017
【図１６】
2006066345.tif 000018
【図１７】
2006066345.tif 000019
【図１８】
2006066345.tif 000020
【図１９】
2006066345.tif 000021
【図２０】
2006066345.tif 000022
【図２１】
2006066345.tif 000023
【図２２】
2006066345.tif 000024
【図２３】
2006066345.tif 000025